(57)【要約】      （修正有）【課題】宝飾品を容易にみることができ、宝飾品が乱反射などによりきらびやかな光沢があり、軸体と宝飾品との大きさやデザインを互いの大きさの制限を受けずに設計することができ、宝飾品が脱落しにくい胎毛筆を提供する。【解決手段】胎毛筆１は、胎毛２からなる穂先９と、該穂先９を軸先１２側に固定する軸体３とを備え、前記軸体３の軸尻１４側に宝飾品６を載設して固設している。前記胎毛２からなる穂先９は、赤ちゃんが生まれて初めてカットした髪であって、先端は尖っていて全体は細く柔らかい胎毛２で作られ、赤ちゃん個人別に作られる。穂先９の形状は、外形が丸く先が尖った形状や、外形が平らな形状などいかなる形状でもよい。【選択図】図１
0003188134.tif 000002
【実用新案登録請求の範囲】
【請求項１】
穂先と、該穂先を軸先側に固定する軸体とを備え、前記軸体の軸尻側に宝飾品を載設して固設することを特徴とする胎毛筆。
【請求項２】
前記宝飾品の中央部に極小孔を穿孔し、極小釘を前記極小孔に挿入して前記軸体の軸尻部に打ち込む方式により、又は、前記宝飾品の底部と前記軸体の軸尻部との間に接着剤を塗布する方式により、前記宝飾品を前記軸体の軸尻部の端面部に固設したことを特徴とする請求項１に記載の胎毛筆。
【請求項３】
前記宝飾品と前記軸体との間に菊座又は花座を介設させたことを特徴とする請求項１又は２に記載の胎毛筆。
【考案の詳細な説明】
【技術分野】
【０００１】
本考案は、赤ちゃんが生まれてから一度もハサミを入れていない毛先の残った胎毛で作られる胎毛筆に関する。
【背景技術】
【０００２】
特許文献１には、胎毛筆の軸の柄の部分に、胎毛筆の穂の持ち主である赤ちゃんの生まれ月に合わせて定められた誕生石をはめ込んだ胎毛筆の技術が開示されている。
【先行技術文献】
【特許文献】
【０００３】
【特許文献１】実用新案登録第３０６７２９２号公報
【考案の概要】
【考案が解決しようとする課題】
【０００４】
特許文献１の考案は、軸体の外周面の一部に凹部を設けている。このため、誕生石は直径が引用文献１の図１に示すように軸体の直径の半分以下となって誕生石の大きさが極めて小さくなり、嵌設した横方向からは誕生石を視認しにくく、嵌設した側の反対側からは誕生石がまったく見えないという問題があった。
【０００５】
また、引用文献１の段落［０００２］に「接着剤で固着した」と記載されていることから、軸体の凹部から誕生石の突出部分を大きくすれば、嵌設した誕生石が脱落しやすくなる懸念があることから、軸体の凹部に誕生石を嵌入させなければならず、そのため誕生石に対して入射する光の方向が狭くなるので光の乱反射や透過による誕生石の輝きが少ないという問題があった。
【０００６】
さらに、胎毛筆は毛先が尖っていて細いため特有の書き味が楽しめることから、胎毛筆で書道をたしなむ人がおられるが、そのときに、誕生石が軸体の縦方向で中央部近傍に嵌設されている胎毛筆の場合や、軸体そのものの長さが手の平の幅に近くて短い場合には、毛筆の軸体を握った手で誕生石を覆ってしまい、軸体より突出した誕生石の部分が手に当接するので、手に違和感を覚え、誕生石の表面が汚れやすいという問題があった。
【０００７】
誕生石を軸体の側面に設けた凹部に嵌設するので、軸体の大きさは、少なくとも誕生石の大きさより大きくしなければならず、誕生石より細い胎毛筆を造れないという問題があった。一方、誕生石を軸体の側面に設けた凹部に嵌設するので、手で把持したときに手の平に誕生石が当たらないようにするには、軸体の長さは、少なくとも手の平の幅より長くしなければならず、手の平サイズのかわいい胎毛筆を造れないという問題があった。したがって、誕生石の大きさに胎毛筆の大きさが制限を受け、胎毛筆の大きさに誕生石の大きさが制限を受けるので、互いに自由にデザインするということができないという問題があった。
【０００８】
また、軸体の外周面に凹部を形成しなければならないので軸体内の中心に空洞を設けることができないことから、胎毛筆の軽量化ができにくいという問題があった。
【０００９】
軸体の直径より大きさの小さい誕生石にすると、該該誕生石と前記軸体との接触面積がせまくなるので、接着剤の塗布面積も小さくなる。これにより、誕生石の表面に手が触れるなどの外力が繰り返し加わると、嵌設した誕生石が脱落しやすくなるという問題があった。
【００１０】
本考案はこうした問題に鑑み創案されたもので、胎毛筆で墨をつけて文字を書くときに宝飾品が手に当接することがなく、筆の周囲のどの方向からも宝飾品を視認することが容易にでき、宝飾品に広い角度からの光が入射して宝飾品が乱反射などによりきらびやかな光沢があり、軸体と宝飾品との大きさやデザインを互いの大きさの制限を受けずに設計することができ、軸体の軽量化を図ることができ、宝飾品が脱落しにくい胎毛筆を提供することを課題とする。
【課題を解決するための手段】
【００１１】
本考案において、宝飾品６とは、クリスタルガラス、誕生石、真珠、宝石又は貴金属を意味する。
【００１２】
請求項１に記載の胎毛筆１の考案は、穂先９と、該穂先９を軸先１２側に固定する軸体３とを備え、前記軸体３の軸尻１４側に宝飾品６を載設して固設することを特徴とする。
【００１３】
請求項２に記載の胎毛筆１の考案は、請求項１において、前記宝飾品６の中央部に極小孔を穿孔し、極小釘７を前記極小孔に挿入して前記軸体３の軸尻部１４に打ち込む方式により、又は、前記宝飾品６の底部と前記軸体３の軸尻部１４との間に接着剤を塗布する方式により、前記宝飾品６を前記軸体３の軸尻部１４の端面部に固設したことを特徴とする。
【００１４】
請求項３に記載の胎毛筆１の考案は、請求項１又は２において、前記宝飾品６と前記軸体３との間に菊座又は花座８を介設させたことを特徴とする。
【考案の効果】
【００１５】
請求項１に記載の胎毛筆１の考案は、軸体３の軸尻１４側にクリスタルガラス、誕生石、真珠、宝石又は貴金属などの宝飾品６を凹部に嵌設することなく軸尻１４側の端面に載設する形態で固設しているので、宝飾品６のほとんどの表面を露出させることができることから、宝飾品６をどの方向からでも視認することができ、より多くの光を広角度から入射できるようになり光の乱反射や透過による宝飾品６の輝きが増して喜びを表す祝いの記念品として今までにない輝かしい雰囲気を提供することができるという効果を奏する。
【００１６】
胎毛筆１の軸体３の大きさや長さと、宝飾品６の大きさとは互いに制限を加えることなく、独自にデザインを設計することができるようになり、細くて短い軸体３の軸体３より大きい宝飾品６を載設したり、短い軸体３でありながら手で軸体３を把持したときに手の平が宝飾品６に接触することがなくなるという効果を奏し、かわいい胎毛筆１にしたり、書道可能な胎毛筆１にしたり、こうしたいという思いの胎毛筆１の形態を実現できるという効果を奏する。
【００１７】
宝飾品６は軸体３の軸尻１４に載設しており軸体３の凹部を形成させていないことから、軸体３の内部に空洞１０を設けることができる。これにより、胎毛筆１の軽量化を実現でき、手で扱いやすいという効果を奏する。
【００１８】
請求項２の記載の胎毛筆１の考案は、前記宝飾品６の中央部に極小孔を穿孔し、極小釘７を前記極小孔に挿入して前記軸体３の軸尻１４部に打ち込んで軸尻１４部の端面部に固設したので、固設された前記宝飾品６が脱落しにくいという効果を奏する。
【００１９】
請求項３に記載の胎毛筆１の考案は、前記クリスタルガラス、誕生石、真珠、宝石又は貴金属などの宝飾品６と前記軸体３との間に菊座又は花座８を介設させたことにより、前記菊座又は花座８を金銀などでメッキ又は塗装することにより、前記宝飾品６の高貴さをより一層醸し出すという効果を奏する。
【図面の簡単な説明】
【００２０】
【図１】本考案の菊座又は花座を備えない胎毛筆の概要図である。
【図２】本考案の菊座又は花座を備えた胎毛筆の概要図である。
【図３】本考案の穂先を金具で整えた胎毛筆の概要図である。
【図４】図２において空洞を有さない軸体のＢ―Ｂ断面図である。
【図５】図２において空洞を有する軸体のＢ―Ｂ断面図である。
【図６】図１においてＡ方向から見た図である。
【図７】図２においてＣ部拡大図である。
【図８】図２において空洞を有さない場合のＥ―Ｅ断面におけるＣ部拡大図である。
【図９】図２において空洞を有する場合のＥ―Ｅ断面におけるＣ部拡大図である。
【図１０】図２において空洞を有さない場合のＥ―Ｅ断面におけるＤ部拡大図である。
【図１１】図２において空洞を有する場合のＥ―Ｅ断面におけるＤ部拡大図である。
【考案を実施するための形態】
【００２１】
本考案である胎毛筆１は、図１乃至図３に示すように、胎毛２からなる穂先９と、該穂先９を軸先１２側に固定する軸体３とを備え、前記軸体３の軸尻１４側に宝飾品６を載設して固設している。
【００２２】
前記胎毛２からなる穂先９は、赤ちゃんが生まれて初めてカットした髪であって、先端は尖っていて全体は細く柔らかい胎毛２で作られ、赤ちゃん個人別に作られる。穂先９の形状は、外形が丸く先が尖った形状や、外形が平らな形状などいかなる形状でもよい。また、穂先９は図３に示すように円錐状の金具１１で形成されてもよい。
【００２３】
前記軸体３は、軸先１２、胴部１３及び軸尻１４とから構成される。軸先１２は、穂先９を取り付ける部位であり、その形態として、軸体３が図４に示すように空洞１０を有さない略円柱状である場合には図１０に示すように前記軸体３と一体で製作され先端部を凹部にして直接に穂先９を嵌め込んだ形態、又は、軸体３の中心である内部に図５に示すように空洞１０を設けた場合には図１１に示すように前記軸体３とは別部品として製作され、一方に穂先９を嵌め込み他方は前記軸体３に取り付けるために前記空洞１０部に螺設や接着剤塗布などの固設手段で嵌入させる形状を有する形態等があるがいずれの形態でもよい。
【００２４】
胴部１３は、外径５〜２０ｍｍの断面形状が円形や楕円形の略円柱状、又は断面形状が五角形や八角形等の角形の柱状であり、軸体３の長さは５〜４０ｃｍであり、材質は木、プラスチック、金属、竹、石、ガラス、貴金属等からなる。
【００２５】
胴部１３の外径は、宝飾品６を軸体３の外部に固設させることから、宝飾品６の外径より小さくてもいいし大きくてもよい。そして、胴部１３の長さは、宝飾品６を軸体３の外部に固設させることから、手の平に収まる長さまで短くてもいいし、手の平に収まらない長さであってもよい。
【００２６】
胴部１３の長手方向の直角方向の断面は、軸体３の内部に空洞１０を設けた円環状であってもいいし、内部に空洞１０を設けない円状であってもよい。前記空洞１０を設けた場合は胎毛筆１を軽量化することができる。
【００２７】
また、胴部１３の外周面には赤ちゃんの名前や生年月日を印字又は刻印したりすることができる。そして、手で胴部１３を把持しやすいように指が当接する部位の直径を太くしたりする。
【００２８】
そして、軸尻１４にはその端部に宝飾品６を載設して固設する。前記宝飾品６の載設した固設形態は、図８又は図９に示すように、前記宝飾品６の中央部に貫通する極小孔（図なし）を穿孔し、極小釘７を前記極小孔に挿入して前記軸体３の軸尻１４部に打ち込んで、前記宝飾品６を前記軸体３の軸尻１４部の端面部に固設する形態、又は、前記宝飾品６の底面に強力な接着剤を塗布して固設する形態（図なし）などがある。前記固設により、前記宝飾品６が胎毛筆１から脱落しにくくなる。宝飾品６が大きい場合には底面積が広くなるため接着剤で十分な接着力を得ることができる。
【００２９】
前記極小釘７は、図１におけるＡ方向からみた形状を図６に示すように宝飾品６の中心に位置しており、前記極小釘７に金、銀、クロムなどの光沢があるメッキ又は塗装をすることにより、胎毛筆１や宝飾品６の光沢を際立たせる効果がある。
【００３０】
前記軸尻１４の形態として、軸体３が図４に示すように空洞１０を有さない略円柱状である場合には図８に示すように前記軸体３と一体で製作された形態、又は、軸体３の中心である内部に図５に示すように空洞１０を設けた場合には図９に示すように前記軸体３とは別部品としてかつ空洞１０を有さない部品として製作され、一方に宝飾品６を載設する部位を形成し他方は前記軸体３に取り付けるために前記空洞１０部に螺設や接着剤塗布などの固設手段で嵌入させる形状を有する形態等があるがいずれの形態でもよい。
【００３１】
次に、前記宝飾品６は、クリスタルガラス、誕生石、真珠、宝石又は貴金属など光沢がある品が該当し、前記宝飾品６の形状は、ダイヤモンドのようなクリスタルカットの形態や真珠のような球形の形態などの形態のうちのいずれでもよく、前記宝飾品６の大きさは、軸体３の直径に限定せず任意の大きさでよい。宝飾品６が軸体３の直径より大きくても取り付け可能である。
【００３２】
次に、図２、図３、図７乃至図９に示すように、菊座又は花座８を、前記クリスタルガラス、誕生石、真珠、宝石又は貴金属などの宝飾品６と前記軸体３との間に介設させた形態もある。前記菊座又は花座８は、前記宝飾品６の底面を下方から受ける略ハスの葉状や略皿状の形態を有し、板状、網状、任意のデザイン模様など好みの形状を形成することができ、前記菊座又は花座８自体の材質すべてを貴金属で製作したり、又は、前記菊座又は花座８の材質は限定せずに前記菊座又は花座８の表面を金色や銀色やクロムなどの光沢があるメッキや塗装をして装飾したりすることができ、いずれでもよい。これにより、前記クリスタルガラス等宝飾品６の華麗さを高める効果を奏する。0
【符号の説明】
【００３３】
１            胎毛筆
２            胎毛
３            軸体
６            宝飾品
７            極小釘
８            菊座又は花座
９            穂先
１０          空洞
１１          金具
１２          軸先
１３          胴部
１４          軸尻
【図１】
0003188134.tif 000003
【図２】
0003188134.tif 000004
【図３】
0003188134.tif 000005
【図４】
0003188134.tif 000006
【図５】
0003188134.tif 000007
【図６】
0003188134.tif 000008
【図７】
0003188134.tif 000009
【図８】
0003188134.tif 000010
【図９】
0003188134.tif 000011
【図１０】
0003188134.tif 000012
【図１１】
0003188134.tif 000013